(57)【要約】【課題】ページ連写モード下において読み取った原稿画像に対して付加画像を付与する際に、付加画像が欠けることを防止する。【解決手段】ページ連写モード下において左ページの原稿画像の綴じ代側（右上、右中、右下）にスタンプを付与する場合には、スタンプ領域５３０をスキャントリム領域５１０（原稿画像）の右端部から綴じ代幅ｘだけ左方向にシフトさせることにより、綴じ代領域５２０を避けてスタンプを付与する。【選択図】図１２
2007074631.tif 000002
【特許請求の範囲】
【請求項１】
原稿を読み取り原稿画像を得る画像読取部と、
ページ連写モード下において前記画像読取部により得た原稿画像における１ページに相当する原稿画像に対して付加画像を付与し、当該付加画像が付与された原稿画像の画像情報を生成する制御部と、
を備え、
前記制御部は、前記１ページに相当する原稿画像に対して綴じ代領域を避けて前記付加画像を付与することを特徴とする画像読取装置。
【請求項２】
請求項１に記載の画像読取装置において、
ユーザからの入力を受け付ける操作部を更に備え、
前記ページ連写モードは、前記操作部からのユーザ指示により設定されることを特徴とする画像読取装置。
【請求項３】
請求項１又は２に記載の画像読取装置において、
前記制御部は、前記１ページに相当する原稿画像の前記綴じ代領域が位置する側の端部から、前記綴じ代領域の幅だけシフトした位置に前記付加画像を付与することを特徴とする画像読取装置。
【請求項４】
請求項２に記載の画像読取装置において、
前記制御部は、前記１ページに相当する原稿画像の前記綴じ代領域が位置する側の端部から、前記操作部からユーザによって設定された幅だけシフトした位置に前記付加画像を付与することを特徴とする画像読取装置。
【請求項５】
請求項２に記載の画像読取装置において、
前記制御部は、前記１ページに相当する原稿画像の前記綴じ代領域が位置する側の端部から、前記綴じ代領域の幅と前記操作部からユーザによって設定された幅を加算した幅だけシフトした位置に前記付加画像を付与することを特徴とする画像読取装置。
【請求項６】
請求項１に記載の画像読取装置において、
前記制御部は、前記付加画像のサイズを変更することにより、前記１ページに相当する原稿画像に対して前記綴じ代領域を避けて前記付加画像を付与することを特徴とする画像読取装置。
【請求項７】
請求項６に記載の画像読取装置において、
前記制御部は、前記付加画像に使用するフォントのサイズを変更することにより、前記１ページに相当する原稿画像に対して前記綴じ代領域を避けて前記付加画像を付与することを特徴とする画像読取装置。
【請求項８】
請求項２、４又は５に記載の画像読取装置において、
前記操作部は、前記付加画像を付与すべき領域の指定をユーザから受け付け、
前記制御部は、前記指定された領域が前記綴じ代領域が位置する側の領域である場合に、前記１ページに相当する原稿画像に対して前記綴じ代領域を避けて前記付加画像を付与することを特徴とする画像読取装置。
【請求項９】
請求項６又は７に記載の画像読取装置において、
前記付加画像を付与すべき領域の指定をユーザから受け付ける操作部を更に備え、
前記制御部は、前記指定された領域が前記綴じ代領域が位置する側の領域である場合に、前記１ページに相当する原稿画像に対して前記綴じ代領域を避けて前記付加画像を付与することを特徴とする画像読取装置。
【請求項１０】
ページ連写モード下において画像読取部により原稿画像を得る第１ステップと、
前記画像読取部により得た原稿画像における１ページに相当する原稿画像に対して綴じ代領域を避けて付加画像を付与し、当該付加画像が付与された原稿画像の画像情報を生成する第２ステップと、
を含むことを特徴とする画像読取方法。
【請求項１１】
請求項１０に記載の画像読取方法において、
前記第２ステップでは、前記１ページに相当する原稿画像の前記綴じ代領域が位置する側の端部から、前記綴じ代領域の幅だけシフトした位置に前記付加画像を付与することを特徴とする画像読取方法。
【請求項１２】
請求項１０に記載の画像読取方法において、
前記第２ステップでは、前記１ページに相当する原稿画像の前記綴じ代領域が位置する側の端部から、ユーザによって設定された幅だけシフトした位置に前記付加画像を付与することを特徴とする画像読取方法。
【請求項１３】
請求項１０に記載の画像読取方法において、
前記第２ステップでは、前記１ページに相当する原稿画像の前記綴じ代領域が位置する側の端部から、前記綴じ代領域の幅とユーザによって設定された幅を加算した幅だけシフトした位置に前記付加画像を付与することを特徴とする画像読取方法。
【請求項１４】
請求項１０に記載の画像読取方法において、
前記第２ステップでは、前記付加画像のサイズを変更することにより、前記１ページに相当する原稿画像に対して前記綴じ代領域を避けて前記付加画像を付与することを特徴とする画像読取方法。
【請求項１５】
請求項１４に記載の画像読取方法において、
前記第２ステップでは、前記付加画像に使用するフォントのサイズを変更することにより、前記１ページに相当する原稿画像に対して前記綴じ代領域を避けて前記付加画像を付与することを特徴とする画像読取方法。
【請求項１６】
請求項１０から１５のいずれか一項に記載の画像読取方法において、
前記付加画像を付与すべき領域の指定をユーザから受け付ける第３ステップを更に含み、
前記第３ステップで指定された領域が前記綴じ代領域が位置する側の領域である場合に、前記第２ステップでは、前記１ページに相当する原稿画像に対して前記綴じ代領域を避けて前記付加画像を付与することを特徴とする画像読取方法。
【請求項１７】
コンピュータに、
ページ連写モード下において画像読取部により原稿画像を得る第１ステップと、
前記画像読取部により得た原稿画像における１ページに相当する原稿画像に対して綴じ代領域を避けて付加画像を付与し、当該付加画像が付与された原稿画像の画像情報を生成する第２ステップと、
を実行させるためのプログラム。
【請求項１８】
請求項１７に記載のプログラムにおいて、
前記第２ステップでは、前記１ページに相当する原稿画像の前記綴じ代領域が位置する側の端部から、前記綴じ代領域の幅だけシフトした位置に前記付加画像を付与することを特徴とするプログラム。
【請求項１９】
請求項１７に記載のプログラムにおいて、
前記第２ステップでは、前記１ページに相当する原稿画像の前記綴じ代領域が位置する側の端部から、ユーザによって設定された幅だけシフトした位置に前記付加画像を付与することを特徴とするプログラム。
【請求項２０】
請求項１７に記載のプログラムにおいて、
前記第２ステップでは、前記１ページに相当する原稿画像の前記綴じ代領域が位置する側の端部から、前記綴じ代領域の幅とユーザによって設定された幅を加算した幅だけシフトした位置に前記付加画像を付与することを特徴とするプログラム。
【請求項２１】
請求項１７に記載のプログラムにおいて、
前記第２ステップでは、前記付加画像のサイズを変更することにより、前記１ページに相当する原稿画像に対して前記綴じ代領域を避けて前記付加画像を付与することを特徴とするプログラム。
【請求項２２】
請求項２１に記載のプログラムにおいて、
前記第２ステップでは、前記付加画像に使用するフォントのサイズを変更することにより、前記１ページに相当する原稿画像に対して前記綴じ代領域を避けて前記付加画像を付与することを特徴とするプログラム。
【請求項２３】
請求項１７から２２のいずれか一項に記載のプログラムにおいて、
前記コンピュータに、更に、
前記付加画像を付与すべき領域の指定をユーザから受け付ける第３ステップを実行させ、
前記第３ステップで指定された領域が前記綴じ代領域が位置する側の領域である場合に、前記第２ステップでは、前記１ページに相当する原稿画像に対して前記綴じ代領域を避けて前記付加画像を付与することを特徴とするプログラム。
【発明の詳細な説明】
【技術分野】
【０００１】
本発明は、画像読取装置、画像読取方法及びプログラムに係り、特に、原稿画像に対して付加画像を付与する画像読取装置、画像読取方法及びプログラムに関する。
【背景技術】
【０００２】
従来、原稿画像に基づいて記録用紙に画像形成を行う画像形成装置において、原稿画像に加えて、現在時刻、日付、ページ番号、書類番号、書類作成者等の氏名、「社外秘」若しくは「重要」等の付加画像を付与する技術が知られている。
【０００３】
例えば、記録紙に自動的にページ番号を印字するページ番号印字機能を有した画像記録装置において、１枚の原稿の画像データを複数の記録紙に分けて記録する際に、原稿のページ番号と一致させた親ページ番号と、印字順序に基づいて割り振られた子ページ番号からなる階層ページ番号を付与する技術が提案されている（例えば、特許文献１参照）。
【０００４】
また、スキャナ等の画像読取装置により原稿を読み取る際に、原稿画像に付加画像を付与して画像情報を生成する技術も用いられている。原稿を読み取った画像の端部は、原稿の浮き等により画像情報が不正確であり、また、プリント時には余白でプリントされないため、図１６に示すように、スキャン領域６００より内側のスキャントリム領域６１０の画像データを使用し、スキャントリム領域６１０内に付加画像６２０を付与する。
【特許文献１】特開平７−６６９４１号公報
【発明の開示】
【発明が解決しようとする課題】
【０００５】
しかし、本やカタログ等の見開きの原稿を左右１ページずつ２分割して読み取るページ連写モードでは、図１７（ａ）に示すように、２ページ分のスキャン領域７００に対してスキャントリム領域７１０が設定される。このとき、付加画像を原稿画像の右上の位置に付与する場合には、図１７（ｂ）に示すように、左ページ、右ページそれぞれのスキャントリム領域７１０の右上の位置に付加画像７２０が付与される。したがって、付加画像７２０が付与された原稿画像の左ページ分をプリントする際には、図１７（ｃ）に示すように、付加画像７２０が余白領域７３０によって欠けてしまうおそれがあった。
【０００６】
本発明の課題は、ページ連写モード下において読み取った原稿画像に対して付加画像を付与する際に、付加画像が欠けることを防止することである。
【課題を解決するための手段】
【０００７】
上記課題を解決するために、請求項１に記載の画像読取装置は、原稿を読み取り原稿画像を得る画像読取部と、ページ連写モード下において前記画像読取部により得た原稿画像における１ページに相当する原稿画像に対して付加画像を付与し、当該付加画像が付与された原稿画像の画像情報を生成する制御部と、を備え、前記制御部は、前記１ページに相当する原稿画像に対して綴じ代領域を避けて前記付加画像を付与することを特徴としている。
【０００８】
請求項２に記載の発明は、請求項１に記載の画像読取装置において、ユーザからの入力を受け付ける操作部を更に備え、前記ページ連写モードは、前記操作部からのユーザ指示により設定されることを特徴としている。
【０００９】
請求項３に記載の発明は、請求項１又は２に記載の画像読取装置において、前記制御部は、前記１ページに相当する原稿画像の前記綴じ代領域が位置する側の端部から、前記綴じ代領域の幅だけシフトした位置に前記付加画像を付与することを特徴としている。
【００１０】
請求項４に記載の発明は、請求項２に記載の画像読取装置において、前記制御部は、前記１ページに相当する原稿画像の前記綴じ代領域が位置する側の端部から、前記操作部からユーザによって設定された幅だけシフトした位置に前記付加画像を付与することを特徴としている。
【００１１】
請求項５に記載の発明は、請求項２に記載の画像読取装置において、前記制御部は、前記１ページに相当する原稿画像の前記綴じ代領域が位置する側の端部から、前記綴じ代領域の幅と前記操作部からユーザによって設定された幅を加算した幅だけシフトした位置に前記付加画像を付与することを特徴としている。
【００１２】
請求項６に記載の発明は、請求項１に記載の画像読取装置において、前記制御部は、前記付加画像のサイズを変更することにより、前記１ページに相当する原稿画像に対して前記綴じ代領域を避けて前記付加画像を付与することを特徴としている。
【００１３】
請求項７に記載の発明は、請求項６に記載の画像読取装置において、前記制御部は、前記付加画像に使用するフォントのサイズを変更することにより、前記１ページに相当する原稿画像に対して前記綴じ代領域を避けて前記付加画像を付与することを特徴としている。
【００１４】
請求項８に記載の発明は、請求項２、４又は５に記載の画像読取装置において、前記操作部は、前記付加画像を付与すべき領域の指定をユーザから受け付け、前記制御部は、前記指定された領域が前記綴じ代領域が位置する側の領域である場合に、前記１ページに相当する原稿画像に対して前記綴じ代領域を避けて前記付加画像を付与することを特徴としている。
【００１５】
請求項９に記載の発明は、請求項６又は７に記載の画像読取装置において、前記付加画像を付与すべき領域の指定をユーザから受け付ける操作部を更に備え、前記制御部は、前記指定された領域が前記綴じ代領域が位置する側の領域である場合に、前記１ページに相当する原稿画像に対して前記綴じ代領域を避けて前記付加画像を付与することを特徴としている。
【００１６】
請求項１０に記載の画像読取方法は、ページ連写モード下において画像読取部により原稿画像を得る第１ステップと、前記画像読取部により得た原稿画像における１ページに相当する原稿画像に対して綴じ代領域を避けて付加画像を付与し、当該付加画像が付与された原稿画像の画像情報を生成する第２ステップと、を含むことを特徴としている。
【００１７】
請求項１１に記載の発明は、請求項１０に記載の画像読取方法において、前記第２ステップでは、前記１ページに相当する原稿画像の前記綴じ代領域が位置する側の端部から、前記綴じ代領域の幅だけシフトした位置に前記付加画像を付与することを特徴としている。
【００１８】
請求項１２に記載の発明は、請求項１０に記載の画像読取方法において、前記第２ステップでは、前記１ページに相当する原稿画像の前記綴じ代領域が位置する側の端部から、ユーザによって設定された幅だけシフトした位置に前記付加画像を付与することを特徴としている。
【００１９】
請求項１３に記載の発明は、請求項１０に記載の画像読取方法において、前記第２ステップでは、前記１ページに相当する原稿画像の前記綴じ代領域が位置する側の端部から、前記綴じ代領域の幅とユーザによって設定された幅を加算した幅だけシフトした位置に前記付加画像を付与することを特徴としている。
【００２０】
請求項１４に記載の発明は、請求項１０に記載の画像読取方法において、前記第２ステップでは、前記付加画像のサイズを変更することにより、前記１ページに相当する原稿画像に対して前記綴じ代領域を避けて前記付加画像を付与することを特徴としている。
【００２１】
請求項１５に記載の発明は、請求項１４に記載の画像読取方法において、前記第２ステップでは、前記付加画像に使用するフォントのサイズを変更することにより、前記１ページに相当する原稿画像に対して前記綴じ代領域を避けて前記付加画像を付与することを特徴としている。
【００２２】
請求項１６に記載の発明は、請求項１０から１５のいずれか一項に記載の画像読取方法において、前記付加画像を付与すべき領域の指定をユーザから受け付ける第３ステップを更に含み、前記第３ステップで指定された領域が前記綴じ代領域が位置する側の領域である場合に、前記第２ステップでは、前記１ページに相当する原稿画像に対して前記綴じ代領域を避けて前記付加画像を付与することを特徴としている。
【００２３】
請求項１７に記載の発明は、コンピュータに、ページ連写モード下において画像読取部により原稿画像を得る第１ステップと、前記画像読取部により得た原稿画像における１ページに相当する原稿画像に対して綴じ代領域を避けて付加画像を付与し、当該付加画像が付与された原稿画像の画像情報を生成する第２ステップと、を実行させるためのプログラムである。
【００２４】
請求項１８に記載の発明は、請求項１７に記載のプログラムにおいて、前記第２ステップでは、前記１ページに相当する原稿画像の前記綴じ代領域が位置する側の端部から、前記綴じ代領域の幅だけシフトした位置に前記付加画像を付与することを特徴としている。
【００２５】
請求項１９に記載の発明は、請求項１７に記載のプログラムにおいて、前記第２ステップでは、前記１ページに相当する原稿画像の前記綴じ代領域が位置する側の端部から、ユーザによって設定された幅だけシフトした位置に前記付加画像を付与することを特徴としている。
【００２６】
請求項２０に記載の発明は、請求項１７に記載のプログラムにおいて、前記第２ステップでは、前記１ページに相当する原稿画像の前記綴じ代領域が位置する側の端部から、前記綴じ代領域の幅とユーザによって設定された幅を加算した幅だけシフトした位置に前記付加画像を付与することを特徴としている。
【００２７】
請求項２１に記載の発明は、請求項１７に記載のプログラムにおいて、前記第２ステップでは、前記付加画像のサイズを変更することにより、前記１ページに相当する原稿画像に対して前記綴じ代領域を避けて前記付加画像を付与することを特徴としている。
【００２８】
請求項２２に記載の発明は、請求項２１に記載のプログラムにおいて、前記第２ステップでは、前記付加画像に使用するフォントのサイズを変更することにより、前記１ページに相当する原稿画像に対して前記綴じ代領域を避けて前記付加画像を付与することを特徴としている。
【００２９】
請求項２３に記載の発明は、請求項１７から２２のいずれか一項に記載のプログラムにおいて、前記コンピュータに、更に、前記付加画像を付与すべき領域の指定をユーザから受け付ける第３ステップを実行させ、前記第３ステップで指定された領域が前記綴じ代領域が位置する側の領域である場合に、前記第２ステップでは、前記１ページに相当する原稿画像に対して前記綴じ代領域を避けて前記付加画像を付与することを特徴としている。
【発明の効果】
【００３０】
請求項１、２、１０、１７に記載の発明によれば、ページ連写モード下において読み取った原稿画像に対して付加画像を付与する際に、付加画像が欠けることを防止することができる。
【００３１】
請求項３、１１、１８に記載の発明によれば、原稿画像において付加画像が欠けない領域のうち最も綴じ代領域側に付加画像を付与することができる。
【００３２】
請求項４、１２、１９に記載の発明によれば、原稿画像の綴じ代領域が位置する側の端部から、ユーザによって設定された幅だけシフトした位置に付加画像を付与することができる。
【００３３】
請求項５、１３、２０に記載の発明によれば、原稿画像において付加画像が欠けない領域のうち最も綴じ代領域側の位置から、更にユーザによって設定された幅だけシフトした位置に付加画像を付与することができる。
【００３４】
請求項６、１４、２１に記載の発明によれば、付加画像が欠けることを防止することができる。
【００３５】
請求項７、１５、２２に記載の発明によれば、フォントのサイズを変更することにより、容易に付加画像のサイズを変更することができる。
【００３６】
請求項８、９、１６、２３に記載の発明によれば、付加画像を付与すべき領域を変更させる必要がある場合にのみ、原稿画像に対して綴じ代領域を避けて付加画像を付与することができる。
【発明を実施するための最良の形態】
【００３７】
［第１の実施の形態］
まず、本発明の第１の実施の形態について説明する。
図１は、本発明の画像読取装置を適用した画像形成装置１の全体構成を示した概要図である。画像形成装置１は、画像読取部１０、画像形成装置本体部２０等から構成される。画像読取部１０は、例えば、図１に示すように、画像形成装置本体部２０の上部に配置される。
【００３８】
画像読取部１０は、スキャナ１１、スキャナカバー１２等を備えて構成される。スキャナ１１は、プラテンガラス１１ａとスキャナカバー１２との間に載置された原稿を読み取り原稿画像を得る。具体的には、原稿に光を投射し、反射された光をＣＣＤ（Charge Coupled Device）イメージセンサ１１ｂにより読み取る。そして、ＣＣＤイメージセンサ１１ｂにより読み取った反射光を光電変換し、画像情報（以下、画像データという。）を制御部１００（図２）に出力する。ページ連写モードが設定されている場合には、スキャナ１１は、プラテンガラス１１ａ上に載置された見開きの原稿を左右１ページずつ２分割して読み取る。
【００３９】
画像形成装置本体部２０は、画像形成部４０、中間転写ベルト５０、給紙部６０及び定着部７０等を備える。各部は、制御部１００からの指示に従って、画像読取部１０のスキャナ１１で読み取った画像データに基づく画像を記録用紙Ｐに形成して出力する。
【００４０】
画像形成部４０は、イエロー画像形成部４０Ｙ、マゼンタ画像形成部４０Ｍ、シアン画像形成部４０Ｃ及びブラック画像形成部４０Ｋから構成される。各画像形成部４０Ｙ，４０Ｍ，４０Ｃ，４０Ｋの構成は共通する点が多いため、イエロー画像形成部４０Ｙを例にして説明する。
【００４１】
イエロー画像形成部４０Ｙは、感光体ドラム４１Ｙ、帯電装置４２Ｙ、露光装置４３Ｙ、現像装置４４Ｙ及びクリーニング装置４５Ｙから構成され、制御部１００から供給されるイエローの画像データに基づき、イエロー画像を感光体ドラム４１Ｙ上に形成する。本実施の形態では、タンデム方式の画像形成機構を適用しており、イエロー（Ｙ）、マゼンタ（Ｍ）、シアン（Ｃ）及びブラック（Ｋ）の４色に分解された画像データに基づいて、各色のトナー像を中間転写ベルト５０に転写して、記録用紙Ｐ上に画像を形成（印刷）する。
【００４２】
感光体ドラム４１Ｙは、帯電装置４２Ｙにより予め表面が均一に帯電されている。露光装置４３Ｙは、制御部１００から供給されたイエローの画像データに基づいて、レーザにより感光体ドラム４１Ｙ上に静電潜像を形成する。現像装置４４Ｙは、露光装置４３Ｙによって静電潜像が形成された感光体ドラム４１Ｙの表面に、イエローのトナーを付着させる。トナー画像が形成された感光体ドラム４１Ｙは、その軸方向と平行に接触する中間転写ベルト５０にトナー画像を転写する。トナー画像の転写後、クリーニング装置４５Ｙは、感光体ドラム４１Ｙの表面に付着した残留トナーや残留電荷を除去する。
【００４３】
このように各色のトナー画像がイエロー（Ｙ）、マゼンタ（Ｍ）、シアン（Ｃ）及びブラック（Ｋ）の順で中間転写ベルト５０に転写され、１つのトナー画像が形成される。
【００４４】
中間転写ベルト５０は、複数のローラに回転可能に支持され、感光体ドラム４１Ｙ，４１Ｍ，４１Ｃ，４１Ｋと、一次転写ローラ５１Ｙ，５１Ｍ，５１Ｃ，５１Ｋとの間を通過するように設けられている。一次転写ローラ５１Ｙ，５１Ｍ，５１Ｃ，５１Ｋは、弾性体（各種バネやゴム等）により中間転写ベルト５０を感光体ドラム４１Ｙ，４１Ｍ，４１Ｃ，４１Ｋに圧着させ、感光体ドラム４１Ｙ，４１Ｍ，４１Ｃ，４１Ｋに付着したイエロー（Ｙ）、マゼンタ（Ｍ）、シアン（Ｃ）及びブラック（Ｋ）の各トナー画像を中間転写ベルト５０上に転写する。
【００４５】
中間転写ベルト５０に順次重ねて一次転写されたトナー画像は、中間転写ベルト５０を支持する支持ローラの駆動により二次転写ローラ５２ａ，５２ｂへと搬送される。二次転写ローラ５２ａ，５２ｂは、後述する給紙部６０から搬送された記録用紙Ｐに一括してトナー画像を転写（二次転写）する。画像が転写（二次転写）された記録用紙Ｐは定着部７０に搬送され、熱溶融によりトナーが定着されてカラー画像が完成する。
【００４６】
給紙部６０は、給紙トレイ６１、送り出しローラ６２、給紙ローラ６３ａ、搬送ローラ６３ｂ，６３ｃ，６３ｄ、レジストローラ６３ｅ、分岐点６４、反転制御ローラ６５、排紙ローラ６６、排紙トレイ６７から構成される。給紙部６０は、給紙トレイ６１に収容された記録用紙Ｐを、所定の送り経路（図１に示す地点Ａから地点Ｉを案内する一連のガイドレール）に沿って、排紙トレイ６７まで送り出す。また、給紙トレイ６１は、給紙トレイ６１ａ，６１ｂ，６１ｃに格納された各種サイズの記録用紙Ｐａ，Ｐｂ，Ｐｃを、制御部１００の制御に従って適宜給紙する。
【００４７】
分岐点６４及び反転制御ローラ６５は、両面印刷を行う際に記録用紙Ｐの表裏を反転して搬送するステッパとして機能する。
【００４８】
次に、画像形成装置１の制御部１００を説明する。図２に示すように、制御部１００は、画像読取部１０、操作部２００、画像処理部３００、画像形成出力部４００等と接続されている。
【００４９】
図２に示すように、制御部１００は、ＣＰＵ（Central Processing Unit）１１０、ＲＡＭ（Random Access Memory）１２０、記憶部１３０等を備えて構成される。
【００５０】
ＣＰＵ１１０は、記憶部１３０に記憶された画像形成装置１用の各種処理プログラムに従って各種の制御動作を行う。
【００５１】
ＣＰＵ１１０は、スキャナ１１により得た原稿画像に対して付加画像（以下、スタンプという。）を付与し、スタンプが付与された原稿画像の画像データを生成する。なお、ページ連写モード下においては、原稿画像における１ページに相当する原稿画像に対して、ページ毎にスタンプを付与し、その際、原稿画像の領域内で綴じ代領域を避けてスタンプを付与する。
【００５２】
ここで、綴じ代領域とは、ページ連写モード下において、見開き原稿の綴じ部分側に相当する領域であって、ステープル時等に綴じ代として使用される領域をいう。図３に示すように、ページ連写モードでスキャナ１１によりスキャン領域５００が読み取られ、端部がトリミングされてスキャントリム領域５１０が生成される。スキャントリム領域５１０を中央で２分割した画像データが１ページ分の原稿画像の画像データとなる。左ページ（「Ａ」と記載されているページ）の右ページ（「Ｂ」と記載されているページ）側の端部領域、及び右ページの左ページ側の端部領域が綴じ代領域５２０である。綴じ代領域５２０の幅は予め定められており、各ページの綴じ代領域の幅は、２ページ分の原稿画像に対する綴じ代領域の幅の半分になる。
【００５３】
ＲＡＭ１２０は、ＣＰＵ１１０によって実行される処理プログラム等を展開するためのプログラム格納領域や、入力データや上記処理プログラムが実行される際に生じる処理結果等を格納するデータ格納領域等を備える。
【００５４】
記憶部１３０は、画像形成装置１で実行可能なシステムプログラム、当該システムプログラムで実行可能な各種処理プログラム、これら各種処理プログラムを実行する際に使用されるデータ、ＣＰＵ１１０によって演算処理された処理結果のデータ等を記憶する。なお、プログラムは、コンピュータが読み取り可能なプログラムコードの形で記憶部１３０に記憶されている。
【００５５】
操作部２００は、図２及び図４に示すように、液晶表示部２１０、タッチパネル２２０、ハードキー２３０等を備えて構成され、ユーザからの入力を受け付ける。
【００５６】
液晶表示部２１０は、制御部１００から入力される表示信号に従って表示処理を行う。液晶表示部２１０は、例えば、スタンプを付与すべき領域（以下、スタンプ位置という。）を指定する画面（図８）や、スタンプ位置の基準点からのシフト幅を設定する画面（図９）を表示する際等に使用される。
【００５７】
タッチパネル２２０は、液晶表示部２１０の上面を覆うように設置されており、ユーザの指等を用いた操作によって押圧入力された所望の入力位置を検出し、その検出信号を制御部１００に出力する。タッチパネル２２０は、例えば、ユーザが、ページ連写モードを設定する際、スタンプ位置を指定する際、スタンプ位置の基準点からのシフト幅を設定する際等に使用される。
【００５８】
ハードキー２３０は、ユーザのキー操作に伴う押下信号を制御部１００に出力する。図４に示すように、ハードキー２３０は、テンキー２３１、リセットキー２３２、スタートキー２３３、ストップキー２３４等を含む。
【００５９】
画像処理部３００は、スキャナ１１によって読み取られた画像データに対して、色彩、明るさ及びコントラスト等の調整のため各種の画像処理を行う。
【００６０】
画像形成出力部４００は、制御部１００からの指示に従って、画像データに基づく画像を記録用紙Ｐに形成して出力する。画像形成出力部４００は、具体的には、画像形成装置本体部２０の内部に備えられている画像形成部４０、中間転写ベルト５０、給紙部６０、定着部７０等を備えて構成される。
【００６１】
なお、制御部１００、画像読取部１０及び操作部２００により、本発明の画像読取装置が構成される。
【００６２】
次に、第１の実施の形態における画像形成装置１の動作を説明する。
図５は、スタンプ付与画像生成処理Ａを示すフローチャートである。スタンプ付与画像生成処理Ａは、記憶部１３０に記憶されているプログラムに基づいてＣＰＵ１１０により実行される処理である。なお、スタンプ付与画像生成処理Ａが実行される際には、通常モードで処理を行うか、ページ連写モードで処理を行うかが、ユーザにより予め設定されている。ページ連写モードの設定は、例えば、図４に示す「ページ連写」ボタン２４０を選択することにより行われる。
【００６３】
図５に示すように、まず、スタンプ機能の設定処理が行われる（ステップＳ１）。スタンプ機能とは、原稿画像の指定した位置にスタンプを付与する機能である。
【００６４】
図６を参照して、スタンプ機能の設定処理を説明する。
図４に示す設定画面２１１において、ユーザにより「スタンプ機能」ボタン２４１が選択されると（ステップＳ２１）、図７に示すように、定型スタンプ、ページ番号、ナンバリング、日付／時刻等のスタンプ形式を選択するための設定画面２１２が液晶表示部２１０に表示され、スタンプ形式が選択される（ステップＳ２２）。具体的には、「定型スタンプ」ボタン２４２、「ページ番号」ボタン２４３、「ナンバリング」ボタン２４４、「日付／時刻」ボタン２４５のいずれか１つが選択され、ＯＫボタン２４６が選択される。
【００６５】
「定型スタンプ」は、予め用意されている定型文字をスタンプとして付与する機能であり、「ページ番号」は、ページ番号をスタンプとして付与する機能であり、「ナンバリング」は、原稿画像の順に数字をスタンプとして付与する機能であり、「日付／時刻」は、原稿の読み取りが行われた時の日付や時刻をスタンプとして付与する機能である。なお、これらスタンプのうち、ナンバリングは米国裁判所におけるディスカバリ−手続において証拠に付与される連番にも利用可能である。そこで、ナンバリングについては、読み取った画像の正真性を確保するために、画像の読み取りから外部よりアクセス可能な、或いは再利用可能な画像データとして保存されるまでの過程においてスタンプを付与することが好ましい。また、日付／時刻についても、読み取り時点においてその画像が存在したことを証する目的から、同様に、画像データとして保存されるまでの過程においてスタンプを付与することが好ましい。
【００６６】
例えば、図７の設定画面２１２において、「定型スタンプ」ボタン２４２が選択された場合には、図８に示すように、定型スタンプの種類及びスタンプ位置を指定するための設定画面２１３が液晶表示部２１０に表示される。図８に示す設定画面２１３において、ユーザにより、付与すべきスタンプとして、スタンプ指定ボタン２４７の中から「至急」、「回覧」、「回収」等、スタンプの種類が指定される（ステップＳ２３）。また、ユーザにより、スタンプ位置指定ボタン２４８により、「左上」、「左中」、「左下」、「中央上」、「中央」、「中央下」、「右上」、「右中」、「右下」の９か所の中からスタンプ位置が指定される（ステップＳ２４）。
【００６７】
次に、スタンプ位置が原稿画像の綴じ代領域が位置する側に指定された場合に、スタンプ位置を基準点からシフトさせるシフト幅が設定される（ステップＳ２５）。ここで設定されるシフト幅を、以下、ユーザ設定幅という。
【００６８】
図８に示す設定画面２１３において、「位置の微調整」ボタン２４９が選択されると、図９に示すように、スタンプ位置を微調整するための設定画面２１４が液晶表示部２１０に表示される。ユーザは、シフト幅設定ボタン２５１によりスタンプ位置の基準点からのシフト幅を設定する。
【００６９】
次に、図５に戻り、スタートキー２３３が押下されることにより、スキャナ１１により原稿が読み取られ、原稿画像が得られる（ステップＳ２）。原稿画像の画像データは、画像処理部３００により、スキャン領域の端部のトリミングや、色彩、明るさ及びコントラストの調整等の各種画像処理が施され（ステップＳ３）、ＲＡＭ１２０に一時的に記憶される。
【００７０】
次に、通常モードであるか、ページ連写モードが選択されているかが判断される（ステップＳ４）。通常モードである場合には（ステップＳ４；通常モード）、スタンプ位置のシフト幅が０に設定される（ステップＳ５）。すなわち、指定されたスタンプ位置がそのままスタンプ付与位置として設定される。
【００７１】
ページ連写モードが選択されている場合には（ステップＳ４；ページ連写モード）、スタンプ付与の対象となる原稿画像が右ページであるか左ページであるかが判断される（ステップＳ６）。
【００７２】
スタンプ付与の対象となる原稿画像が左ページである場合には（ステップＳ６；左ページ）、指定されたスタンプ位置が右側（右上、右中、右下）であるか否か、すなわち、指定されたスタンプ位置が原稿領域の綴じ代領域が位置する側の領域であるか否かが判断される（ステップＳ７）。指定されたスタンプ位置が右側でない場合には（ステップＳ７；ＮＯ）、スタンプ位置のシフト幅が０に設定される（ステップＳ８）。すなわち、指定されたスタンプ位置がそのままスタンプ付与位置として設定される。
【００７３】
ステップＳ７において、指定されたスタンプ位置が右側である場合には（ステップＳ７；ＹＥＳ）、指定されたスタンプ位置を原稿画像の右端部からユーザ設定幅だけ左方向にシフトさせ、原稿画像の領域内で綴じ代領域を避けた位置がスタンプ付与位置として設定される（ステップＳ９）。
【００７４】
ステップＳ６において、スタンプ付与の対象となる原稿画像が右ページである場合には（ステップＳ６；右ページ）、指定されたスタンプ位置が左側（左上、左中、左下）であるか否か、すなわち、指定されたスタンプ位置が原稿領域の綴じ代領域が位置する側の領域であるか否かが判断される（ステップＳ１０）。指定されたスタンプ位置が左側でない場合には（ステップＳ１０；ＮＯ）、スタンプ位置のシフト幅が０に設定される（ステップＳ１１）。すなわち、指定されたスタンプ位置がそのままスタンプ付与位置として設定される。
【００７５】
ステップＳ１０において、指定されたスタンプ位置が左側である場合には（ステップＳ１０；ＹＥＳ）、指定されたスタンプ位置を原稿画像の左端部からユーザ設定幅だけ右方向にシフトさせ、原稿画像の領域内で綴じ代領域を避けた位置がスタンプ付与位置として設定される（ステップＳ１２）。
【００７６】
ステップＳ５、ステップＳ８、ステップＳ９、ステップＳ１１、ステップＳ１２の後、それぞれ設定されたスタンプ付与位置に基づいて、原稿画像にスタンプが付与され、画像データが生成される（ステップＳ１３）。なお、定型スタンプのように予め定められた画像を付与する場合、付与すべき情報を文字データとして保存しておき、この文字データを読み出すと共にフォントデータを読み出してスタンプ画像データを生成して原稿画像に付与すればよく、この生成処理がステップＳ１３に含まれる。一方、日付／時刻、ページ番号、ナンバリングのような、付与すべき文字画像が変化するような場合、付与すべき文字データを演算し、この演算結果に基づいてフォントデータから画像データを生成し、この画像データをスタンプとして原稿画像に付与すればよく、この生成処理がステップＳ１３に含まれる。特に、ページ番号、ナンバリングの場合、ページ毎に付与すべき番号が変化するので、カウンタを設けて各原稿画像に付与すべき数字を把握するようにすればよい。そして、生成された画像データに基づいて、画像形成出力部４００により画像形成が行われる（ステップＳ１４）。
【００７７】
次に、他の原稿画像の画像データがあるか否かが判断され（ステップＳ１５）、他の原稿画像の画像データがある場合には（ステップＳ１５；ＹＥＳ）、ステップＳ４に戻る。他の原稿画像の画像データがない場合には（ステップＳ１５；ＮＯ）、スタンプ付与画像生成処理Ａが終了する。
【００７８】
図１０に、ページ連写モード下において左ページの原稿画像の綴じ代側（図１０では右上）にスタンプが付与される場合に生成される画像データの例を示す。ユーザ設定幅ｙは、綴じ代領域の幅（以下、綴じ代幅という。）ｘより大きい値に設定しておく。スタンプ領域５３０をスキャントリム領域５１０の右端部からユーザ設定幅ｙだけ左方向にシフトさせることにより、綴じ代領域５２０を避けてスタンプを付与することができる。
【００７９】
以上説明したように、第１の実施の形態の画像形成装置１によれば、ページ連写モード下において読み取った原稿画像に対してスタンプを付与する際に、スタンプが欠けることを防止することができる。また、スタンプ位置が綴じ代領域側である場合、すなわち、スタンプ位置を変更させる必要がある場合にのみ、ユーザ設定幅だけスタンプをシフトさせ、原稿画像に対して綴じ代領域を避けてスタンプを付与することができる。
【００８０】
［第２の実施の形態］
次に、本発明を適用した第２の実施の形態について説明する。
第２の実施の形態に示す画像形成装置は、第１の実施の形態に示した画像形成装置１と同様の構成であるため、同一の構成部分については同一の符号を付し、図示及び説明を省略する。以下、第２の実施の形態に特徴的な処理について説明する。
【００８１】
第２の実施の形態では、スタンプ位置が原稿画像の綴じ代領域が位置する側に指定された場合に、綴じ代幅に基づいてスタンプ位置をシフトさせ、ユーザ設定幅が設定されている場合には、更にユーザ設定幅の分だけスタンプ位置をシフトさせる。
【００８２】
図１１は、スタンプ付与画像生成処理Ｂを示すフローチャートである。スタンプ付与画像生成処理Ｂは、記憶部１３０に記憶されているプログラムに基づいてＣＰＵ１１０により実行される処理である。なお、スタンプ付与画像生成処理Ｂが実行される際には、通常モードで処理を行うか、ページ連写モードで処理を行うかが、ユーザにより予め設定されている。
【００８３】
図１１に示すように、まず、スタンプ機能の設定処理が行われる（ステップＳ３１）。スタンプ機能の設定処理は、図６に示したスタンプ機能の設定処理と同様であるため、説明を省略する。ただし、ステップＳ２５のシフト幅設定を行うか否かについては、ユーザが選択可能とする。
【００８４】
次に、スタートキー２３３が押下されることにより、スキャナ１１により原稿が読み取られ、原稿画像が得られる（ステップＳ３２）。原稿画像の画像データは、画像処理部３００により、スキャン領域の端部のトリミングや、色彩、明るさ及びコントラストの調整等の各種画像処理が施され（ステップＳ３３）、ＲＡＭ１２０に一時的に記憶される。
【００８５】
次に、通常モードであるか、ページ連写モードが選択されているかが判断される（ステップＳ３４）。通常モードである場合には（ステップＳ３４；通常モード）、スタンプ位置のシフト幅が０に設定される（ステップＳ３５）。すなわち、指定されたスタンプ位置がそのままスタンプ付与位置として設定される。
【００８６】
ページ連写モードが選択されている場合には（ステップＳ３４；ページ連写モード）、スタンプ付与の対象となる原稿画像が右ページであるか左ページであるかが判断される（ステップＳ３６）。
【００８７】
スタンプ付与の対象となる原稿画像が左ページである場合には（ステップＳ３６；左ページ）、指定されたスタンプ位置が右側（右上、右中、右下）であるか否か、すなわち、指定されたスタンプ位置が原稿領域の綴じ代領域が位置する側の領域であるか否かが判断される（ステップＳ３７）。指定されたスタンプ位置が右側でない場合には（ステップＳ３７；ＮＯ）、スタンプ位置のシフト幅が０に設定される（ステップＳ３８）。すなわち、指定されたスタンプ位置がそのままスタンプ付与位置として設定される。
【００８８】
ステップＳ３７において、指定されたスタンプ位置が右側である場合には（ステップＳ３７；ＹＥＳ）、ユーザ設定幅が設定されているか否かが判断される（ステップＳ３９）。ユーザ設定幅が設定されていない場合には（ステップＳ３９；ＮＯ）、指定されたスタンプ位置を原稿画像の右端部から綴じ代幅だけ左方向にシフトさせ、原稿画像の領域内で綴じ代領域を避けた位置がスタンプ付与位置として設定される（ステップＳ４０）。
【００８９】
ステップＳ３９において、ユーザ設定幅が設定されている場合には（ステップＳ３９；ＹＥＳ）、指定されたスタンプ位置を原稿画像の右端部から綴じ代幅とユーザ設定幅とを加算した幅だけ左方向にシフトさせ、原稿画像の領域内で綴じ代領域を避けた位置がスタンプ付与位置として設定される（ステップＳ４１）。
【００９０】
ステップＳ３６において、スタンプ付与の対象となる原稿画像が右ページである場合には（ステップＳ３６；右ページ）、指定されたスタンプ位置が左側（左上、左中、左下）であるか否か、すなわち、指定されたスタンプ位置が原稿領域の綴じ代領域が位置する側の領域であるか否かが判断される（ステップＳ４２）。指定されたスタンプ位置が左側でない場合には（ステップＳ４２；ＮＯ）、スタンプ位置のシフト幅が０に設定される（ステップＳ４３）。すなわち、指定されたスタンプ位置がそのままスタンプ付与位置として設定される。
【００９１】
ステップＳ４２において、指定されたスタンプ位置が左側である場合には（ステップＳ４２；ＹＥＳ）、ユーザ設定幅が設定されているか否かが判断される（ステップＳ４４）。ユーザ設定幅が設定されていない場合には（ステップＳ４４；ＮＯ）、指定されたスタンプ位置を原稿画像の左端部から綴じ代幅だけ右方向にシフトさせ、原稿画像の領域内で綴じ代領域を避けた位置がスタンプ付与位置として設定される（ステップＳ４５）。
【００９２】
ステップＳ４４において、ユーザ設定幅が設定されている場合には（ステップＳ４４；ＹＥＳ）、指定されたスタンプ位置を原稿画像の左端部から綴じ代幅とユーザ設定幅とを加算した幅だけ右方向にシフトさせ、原稿画像の領域内で綴じ代領域を避けた位置がスタンプ付与位置として設定される（ステップＳ４６）。
【００９３】
ステップＳ３５、ステップＳ３８、ステップＳ４０、ステップＳ４１、ステップＳ４３、ステップＳ４５、ステップＳ４６の後、それぞれ設定されたスタンプ付与位置に基づいて、原稿画像にスタンプが付与され、画像データが生成される（ステップＳ４７）。そして、生成された画像データに基づいて、画像形成出力部４００により画像形成が行われる（ステップＳ４８）。
【００９４】
次に、他の原稿画像の画像データがあるか否かが判断され（ステップＳ４９）、他の原稿画像の画像データがある場合には（ステップＳ４９；ＹＥＳ）、ステップＳ３４に戻る。他の原稿画像の画像データがない場合には（ステップＳ４９；ＮＯ）、スタンプ付与画像生成処理Ｂが終了する。
【００９５】
図１２に、ページ連写モード下において左ページの原稿画像の綴じ代側（図１２では右上）にスタンプが付与される場合であって、ユーザ設定幅が設定されていない場合に生成される画像データの例を示す。スタンプ領域５３０をスキャントリム領域５１０の右端部から綴じ代幅ｘだけ左方向にシフトさせることにより、綴じ代領域５２０を避けてスタンプを付与することができる。
【００９６】
また、図１３に、ページ連写モード下において左ページの原稿画像の綴じ代側（図１３では右上）にスタンプが付与される場合であって、ユーザ設定幅が設定されている場合に生成される画像データの例を示す。スタンプ領域５３０をスキャントリム領域５１０の右端部から綴じ代幅ｘとユーザ設定幅ｙとを加算した幅だけ左方向にシフトさせることにより、綴じ代領域５２０を避けてスタンプを付与することができる。
【００９７】
以上説明したように、第２の実施の形態の画像形成装置によれば、ページ連写モード下において読み取った原稿画像に対してスタンプを付与する際に、スタンプが欠けることを防止することができる。また、スタンプ位置が綴じ代領域側である場合、すなわち、スタンプ位置を変更させる必要がある場合にのみ、原稿画像に対して綴じ代領域を避けてスタンプを付与することができる。ユーザ設定幅が設定されていない場合には、原稿画像においてスタンプが欠けない領域のうち最も綴じ代領域側にスタンプを付与することができる。ユーザ設定幅が設定されている場合には、原稿画像においてスタンプが欠けない領域のうち最も綴じ代領域側の位置から、更にユーザ設定幅だけシフトした位置にスタンプを付与することができる。
【００９８】
［第３の実施の形態］
次に、本発明を適用した第３の実施の形態について説明する。
第３の実施の形態に示す画像形成装置は、第１の実施の形態に示した画像形成装置１と同様の構成であるため、同一の構成部分については同一の符号を付し、図示及び説明を省略する。以下、第３の実施の形態に特徴的な処理について説明する。
【００９９】
第１の実施の形態及び第２の実施の形態では、スタンプ位置が原稿画像の綴じ代領域が位置する側に指定された場合に、スタンプ位置をシフトさせることにより、綴じ代領域を避けてスタンプを付与することとしたが、第３の実施の形態では、スタンプ位置が原稿画像の綴じ代領域が位置する側に指定された場合に、スタンプのサイズを変更することにより、綴じ代領域を避けてスタンプを付与する。
【０１００】
図１４は、スタンプ付与画像生成処理Ｃを示すフローチャートである。スタンプ付与画像生成処理Ｃは、記憶部１３０に記憶されているプログラムに基づいてＣＰＵ１１０により実行される処理である。なお、スタンプ付与画像生成処理Ｃが実行される際には、通常モードで処理を行うか、ページ連写モードで処理を行うかが、ユーザにより予め設定されている。
【０１０１】
図１４に示すように、まず、スタンプ機能の設定処理が行われる（ステップＳ５１）。スタンプ機能の設定処理は、図６に示したスタンプ機能の設定処理と同様であるため、説明を省略するが、ここでは、ステップＳ２５のシフト幅設定は行われないこととする。
【０１０２】
次に、スタートキー２３３が押下されることにより、スキャナ１１により原稿が読み取られ、原稿画像が得られる（ステップＳ５２）。原稿画像の画像データは、画像処理部３００により、スキャン領域の端部のトリミングや、色彩、明るさ及びコントラストの調整等の各種画像処理が施され（ステップＳ５３）、ＲＡＭ１２０に一時的に記憶される。
【０１０３】
次に、通常モードであるか、ページ連写モードが選択されているかが判断される（ステップＳ５４）。通常モードである場合には（ステップＳ５４；通常モード）、スタンプのフォントサイズは変更されない（ステップＳ５５）。
【０１０４】
ページ連写モードが選択されている場合には（ステップＳ５４；ページ連写モード）、スタンプ付与の対象となる原稿画像が右ページであるか左ページであるかが判断される（ステップＳ５６）。
【０１０５】
スタンプ付与の対象となる原稿画像が左ページである場合には（ステップＳ５６；左ページ）、指定されたスタンプ位置が右側（右上、右中、右下）であるか否か、すなわち、指定されたスタンプ位置が原稿領域の綴じ代領域が位置する側の領域であるか否かが判断される（ステップＳ５７）。指定されたスタンプ位置が右側でない場合には（ステップＳ５７；ＮＯ）、スタンプのフォントサイズは変更されない（ステップＳ５８）。
【０１０６】
ステップＳ５７において、指定されたスタンプ位置が右側である場合には（ステップＳ５７；ＹＥＳ）、スタンプのフォントサイズが変更される（ステップＳ５９）。例えば、図１５（ａ）に示すように、スタンプ位置が右上に指定された場合には、予め設定されているフォントサイズでは、スタンプ領域５３０が綴じ代領域５２０と重なってしまう。そこで、綴じ代領域５２０を避けてスタンプを付与するために、スタンプ領域５３０を縮小する。具体的には、予め設定されているスタンプ領域５３０の幅（以下、スタンプ幅という。）ｚが綴じ代幅ｘの分だけ小さくなるようにスタンプ領域５３０を縮小し、図１５（ｂ）に示すように、縮小されたスタンプ領域５４０の右端部がスキャントリム領域５１０の右端部から綴じ代幅ｘの分だけ左に位置するようにすればよい。ただし、フォントサイズは、８ポイント、１０ポイント、１２ポイント等、予め用意されているサイズに限られるため、予め設定されているフォントサイズに（ｚ−ｘ）／ｚを掛けた値より小さいフォントサイズの中で最大のフォントサイズに変更する。
【０１０７】
ステップＳ５６において、スタンプ付与の対象となる原稿画像が右ページである場合には（ステップＳ５６；右ページ）、指定されたスタンプ位置が左側（左上、左中、左下）であるか否か、すなわち、指定されたスタンプ位置が原稿領域の綴じ代領域が位置する側の領域であるか否かが判断される（ステップＳ６０）。指定されたスタンプ位置が左側でない場合には（ステップＳ６０；ＮＯ）、スタンプのフォントサイズは変更されない（ステップＳ６１）。
【０１０８】
ステップＳ６０において、指定されたスタンプ位置が左側である場合には（ステップＳ６０；ＹＥＳ）、スタンプのフォントサイズが変更される（ステップＳ６２）。フォントサイズの変更方法は、ステップＳ５９と同様である。
【０１０９】
ステップＳ５５、ステップＳ５８、ステップＳ５９、ステップＳ６１、ステップＳ６２の後、それぞれ設定されたフォントサイズに基づいて、原稿画像にスタンプが付与され、画像データが生成される（ステップＳ６３）。そして、生成された画像データに基づいて、画像形成出力部４００により画像形成が行われる（ステップＳ６４）。
【０１１０】
次に、他の原稿画像の画像データがあるか否かが判断され（ステップＳ６５）、他の原稿画像の画像データがある場合には（ステップＳ６５；ＹＥＳ）、ステップＳ５４に戻る。他の原稿画像の画像データがない場合には（ステップＳ６５；ＮＯ）、スタンプ付与画像生成処理Ｃが終了する。
【０１１１】
以上説明したように、第３の実施の形態の画像形成装置によれば、ページ連写モード下において読み取った原稿画像に対してスタンプを付与する際に、スタンプが欠けることを防止することができる。また、スタンプ位置が綴じ代領域側である場合、すなわち、スタンプのサイズを変更させる必要がある場合にのみ、スタンプに使用するフォントサイズを変更するので、スタンプが綴じ代領域と重なることを防止することができる。
【０１１２】
なお、上記各実施の形態における記述は、本発明に係る画像読取装置の一具現例であり、本発明はこれに限定されるものではない。各装置の細部構成及び細部動作に関しても本発明の趣旨を逸脱することのない範囲で適宜変更可能である。
【０１１３】
例えば、上記第１〜第３の実施の形態においては、画像読取部１０で読み取った原稿画像にスタンプを付与した出力用画像を画像形成出力部４００から出力する場合を例にとり説明したが、これに限定されず、例えば、画像形成装置がＨＤＤを備え、出力用画像の画像データをＨＤＤに出力して保存しておくようにしてもよいし、また、画像形成装置がＮＩＣ（Network Interface Card）等により構成される通信部を備え、通信部を介して、ネットワーク接続されたＰＣ等の外部機器に出力用画像の画像データを出力するようにしてもよい。保存したり外部機器に出力したりする場合、汎用ＰＣで閲覧可能なファイル形式、例えば、ＰＤＦファイルとしてもよく、この場合、汎用ＰＣにおいてファイルを編集操作されることを避けるために利用制限を設定するようにしてもよい。ファイルとして保存、出力する場合、読み取り原稿１ページ毎に別ファイルとしてもよく、一連で読み取った複数ページの原稿を一つのファイルとしてもよい。
【０１１４】
また、第１の実施の形態及び第２の実施の形態において、スタンプ位置を基準点からシフトさせる幅をユーザが設定する際に、シフトさせる方向についても設定可能としてもよい。また、例えば、左方向に１０．０ｍｍ、下方向に１５．０ｍｍ等、２方向に対してシフト方向とシフト幅を設定することとしてもよい。
【図面の簡単な説明】
【０１１５】
【図１】第１の実施の形態における画像形成装置１の全体構成を示した概要図である。
【図２】画像形成装置１の機能的構成を示すブロック図である。
【図３】綴じ代領域を説明するための図である。
【図４】操作部２００の構成を示す図である。
【図５】スタンプ付与画像生成処理Ａを示すフローチャートである。
【図６】スタンプ機能の設定処理を示すフローチャートである。
【図７】スタンプ形式を選択するための設定画面２１２である。
【図８】定型スタンプの種類及びスタンプ位置を指定するための設定画面２１３である。
【図９】スタンプ位置を微調整するための設定画面２１４である。
【図１０】左ページの原稿画像の綴じ代側にスタンプが付与される場合に生成される画像データの例である。
【図１１】第２の実施の形態におけるスタンプ付与画像生成処理Ｂを示すフローチャートである。
【図１２】左ページの原稿画像の綴じ代側にスタンプが付与される場合であって、ユーザ設定幅が設定されていない場合に生成される画像データの例である。
【図１３】左ページの原稿画像の綴じ代側にスタンプが付与される場合であって、ユーザ設定幅が設定されている場合に生成される画像データの例である。
【図１４】第３の実施の形態におけるスタンプ付与画像生成処理Ｃを示すフローチャートである。
【図１５】（ａ）は、スタンプのフォントサイズが変更される前の原稿画像とスタンプの配置を示す図である。（ｂ）は、スタンプのフォントサイズが変更された後の原稿画像とスタンプの配置を示す図である。
【図１６】従来の原稿画像に付加画像を付与する技術を説明するための図である。
【図１７】（ａ）は、従来のページ連写モードにおけるスキャン領域７００及びスキャントリム領域７１０を示す図である。（ｂ）は、スキャントリム領域７１０の右上の位置に付加画像７２０が付与された状態を示す図である。（ｃ）は、付加画像７２０が余白領域７３０によって欠けた状態を示す図である。
【符号の説明】
【０１１６】
１  画像形成装置
１０  画像読取部
１１  スキャナ
１１ａ  プラテンガラス
１１ｂ  ＣＣＤイメージセンサ
１２  スキャナカバー
２０  画像形成装置本体部
４０  画像形成部
５０  中間転写ベルト
６０  給紙部
７０  定着部
１００  制御部
１１０  ＣＰＵ
１２０  ＲＡＭ
１３０  記憶部
２００  操作部
２１０  液晶表示部
２２０  タッチパネル
２３０  ハードキー
３００  画像処理部
４００  画像形成出力部
５００  スキャン領域
５１０  スキャントリム領域
５２０  綴じ代領域
５３０  スタンプ領域
Ｐ  記録用紙
【図１】
2007074631.tif 000003
【図２】
2007074631.tif 000004
【図３】
2007074631.tif 000005
【図４】
2007074631.tif 000006
【図５】
2007074631.tif 000007
【図６】
2007074631.tif 000008
【図７】
2007074631.tif 000009
【図８】
2007074631.tif 000010
【図９】
2007074631.tif 000011
【図１０】
2007074631.tif 000012
【図１１】
2007074631.tif 000013
【図１２】
2007074631.tif 000014
【図１３】
2007074631.tif 000015
【図１４】
2007074631.tif 000016
【図１５】
2007074631.tif 000017
【図１６】
2007074631.tif 000018
【図１７】
2007074631.tif 000019